(57)【特許請求の範囲】
【請求項１】
蓄熱媒体が貯留される蓄熱タンク（62）が接続される蓄熱回路（61）と、
冷媒が蒸発することで室内を冷房する室内熱交換器（27）が接続される冷媒回路（11）と、
信号が受信される受信部（101）と、
上記受信部（101）に受信された信号に基づいて上記蓄熱回路（61）及び冷媒回路（11）を制御することで、運転を切り換える制御部（100）とを備え、
上記制御部（100）は、
上記冷媒が上記室内熱交換器（27）で蒸発し且つ該冷媒が上記蓄熱媒体と熱交換せずに室内が冷房される単純冷房運転中において、上記受信部（101）に電力使用の抑制要請を示す第１信号が受信されると、上記蓄熱媒体が上記冷媒から吸熱し且つ該冷媒が室内熱交換器（27）で蒸発する利用冷房運転を実行させ、
上記単純冷房運転中において、上記受信部（101）に電力使用の促進要請を示す第２信号が受信されると、上記冷媒が上記蓄熱媒体から吸熱し且つ該冷媒が室内熱交換器（27）で蒸発する冷房蓄冷運転を、上記単純冷房運転よりも消費電力が増大するように実行させる
ことを特徴とする蓄熱式空気調和機。
【請求項２】
請求項１において、
上記冷媒回路（11）には、上記冷媒と上記蓄熱媒体とを熱交換させる蓄熱用熱交換器（37）が接続され、
上記蓄熱媒体は、０℃より高い温度で包接水和物が生成される蓄熱材であり、
上記冷媒回路（11）は、上記冷房蓄冷運転において、上記室内熱交換器（27）内の冷媒と上記蓄熱用熱交換器（37）内の冷媒とを同じ蒸発温度で蒸発するように構成される
ことを特徴とする蓄熱式空気調和機。
【請求項３】
請求項１又は２において、
上記蓄熱タンク（62）の定格の蓄熱容量は、定格の冷房能力での上記利用冷房運転を、所定時間継続するのに必要な蓄熱容量よりも大きい
ことを特徴とする蓄熱式空気調和機。
【請求項４】
請求項３において、
上記所定時間は、１時間であることを特徴とする蓄熱式空気調和機。
【発明の詳細な説明】
【技術分野】
【０００１】
本発明は、蓄熱媒体の蓄熱作用を利用して冷熱を蓄熱タンクに蓄える蓄熱式空気調和機に関する。
【背景技術】
【０００２】
従来、蓄熱式空気調和機として、例えば特許文献１に開示されるように、蓄熱材（蓄熱媒体）の蓄熱作用を利用して冷熱を蓄える蓄熱槽（蓄熱タンク）を備えて、上記蓄熱槽に蓄えた冷熱を利用して例えば室内を冷房する利用冷房運転を行うと共に、上記蓄熱槽に蓄えた冷熱を利用しないで室内を冷房する通常冷房運転を行い、また、蓄熱材に冷熱を蓄熱する蓄冷運転を行うようにしたものが知られている。
【先行技術文献】
【特許文献】
【０００３】
【特許文献１】特許第４４０７５８２号公報
【発明の概要】
【発明が解決しようとする課題】
【０００４】
ところで、昨今では、太陽光発電や風力発電、地熱発電などの再生可能エネルギーを電力会社等の電力系統に連繋することが行われる。
【０００５】
このような状況では、太陽光や風力等による発電量が予測以上に増大した際には、供給側電力が余剰となり、停電が生じる可能性がある。その際には、電力会社等の電力管理者側から「電力使用を促進する要請」が電力消費者側に発信される場合がある。一方、電力会社等の供給側電力がピーク近傍となった際には、「電力使用を抑制する要請」が電力管理者側から電力消費者側に発信される場合がある。従って、電力消費者側では、電力管理者側からの「電力使用を促進する要請」と「電力使用を抑制する要請」との双方に応える構成としておくことが望まれる。
【０００６】
本発明は斯かる点に鑑み、その目的は、蓄熱式空気調和機において、「電力使用を抑制する要請」と「電使用を促進する要請」との双方に対応できる蓄熱式空気調和機を提供することにある。
【課題を解決するための手段】
【０００７】
上記目的を達成するため、第１の発明の蓄熱式空気調和機は、蓄熱媒体が貯留される蓄熱タンク（62）が接続される蓄熱回路（61）と、冷媒が蒸発することで室内を冷房する室内熱交換器（27）が接続される冷媒回路（11）と、信号が受信される受信部（101）と、上記受信部（101）に受信された信号に基づいて上記蓄熱回路（61）及び冷媒回路（11）を制御することで、運転を切り換える制御部（100）とを備え、上記制御部（100）は、上記冷媒が上記室内熱交換器（27）で蒸発し且つ該冷媒が上記蓄熱媒体と熱交換せずに室内が冷房される単純冷房運転中において、上記受信部（101）に電力使用の抑制要請を示す第１信号が受信されると、上記蓄熱媒体が上記冷媒から吸熱し且つ該冷媒が室内熱交換器（27）で蒸発する利用冷房運転を実行させ、上記単純冷房運転中において、上記受信部（101）に電力使用の促進要請を示す第２信号が受信されると、上記冷媒が上記蓄熱媒体から吸熱し且つ該冷媒が室内熱交換器（27）で蒸発する冷房蓄冷運転を、上記単純冷房運転よりも消費電力が増大するように実行させることを特徴とする。
【０００８】
上記第１の発明では、単純冷房運転において、例えば供給電力が不足し、電力使用を抑制する要請があるとする。この場合、受信部（101）には、そのことを示す第１信号が受信される。受信部（101）に第１信号が受信されると、制御部（100）は、単純冷房運転から利用冷房運転に切り換わるように、冷媒回路（11）及び蓄熱回路（61）を制御する。利用冷房運転では、蓄熱媒体が冷媒から吸熱し、且つ冷媒が室内熱交換器（27）で蒸発して冷房が行われる。つまり、この運転では、冷媒が蓄熱媒体によって冷却されるため冷房能力が増大する。この結果、蓄熱式空気調和機の消費電力を低減できる。
【０００９】
単純冷房運転において、例えば供給電力が過剰となり、電力使用を促進する要請があるとする。この場合、受信部（101）には、そのことを示す第２信号が受信される。受信部（101）に第２信号が受信されると、制御部（100）は、単純冷房運転から冷房蓄冷運転に切り換わるように、冷媒回路（11）及び蓄熱回路（61）を制御する。冷房蓄冷運転では、冷媒が蓄熱媒体から吸熱し、且つ冷媒が室内熱交換器（27）で蒸発して冷房が行われる。つまり、この運転では、冷媒のいわゆる冷熱を蓄熱媒体に蓄える動作が行われるため、室内を十分に冷房するためには蓄熱式空気調和機の全体の能力を大きくする必要がある。この結果、蓄熱式空気調和機の消費電力を増大できる。
【００１０】
第２の発明は、第１の発明において、上記冷媒回路（11）には、上記冷媒と上記蓄熱媒体とを熱交換させる蓄熱用熱交換器（37）が接続され、上記蓄熱媒体は、０℃より高い温度で包接水和物が生成される蓄熱材であり、上記冷媒回路（11）は、上記冷房蓄冷運転において、上記室内熱交換器（27）内の冷媒と上記蓄熱用熱交換器（37）内の冷媒とを同じ蒸発温度で蒸発するように構成されることを特徴とする。
【００１１】
第３の発明は、上記蓄熱タンク（62）の定格の蓄熱容量が、定格の冷房能力での上記利用冷房運転を、所定時間継続するのに必要な蓄熱容量よりも大きいことを特徴とする。ここで、上記「定格の冷房能力」は、利用冷房運転において、対象となる空間の設計冷房負荷（定格冷房負荷）を処理するために要する冷房能力であるといえる。
【００１２】
第３の発明では、蓄熱タンク（62）の定格の蓄熱容量が、定格の冷房能力での利用冷房運転の運転時間に基づき決定される。このため、受信部（101）に第１信号が受信されて利用冷房運転が実行された後には、定格の冷房能力での利用冷房運転を上記時間だけ継続して実行できる。従って、電力使用の抑制要請に十分に対応できる。
【００１３】
また、蓄熱タンク（62）において、利用冷房運転に必要な蓄熱容量分を蓄熱した状態では、更に蓄熱可能な余裕の蓄熱容量分が存在する。このため、次に電力使用の促進要請があった時には、その余裕の蓄熱容量分に冷熱を蓄熱できるので、その電力使用の促進要請にも良好に応えることが可能である。
【００１４】
第４の発明は、第３の発明において、上記所定時間は、１時間であることを特徴とする。
【００１５】
第４の発明では、蓄熱タンク（62）の定格の蓄熱容量が、定格能力での利用冷房運転を１時間以上実行できる蓄熱容量に設定される。従って、例えば電力使用を抑制する要請があって利用冷房運転が実行された場合、定格能力での利用冷房運転を１時間以上継続できる。例えば供給電力が不足した際、別の発電機を立ち上げるのには、一般的には約１時間程度の時間を要する。従って、利用運転を１時間継続できれば、電力使用の抑制要請に十分に対応できる。
【発明の効果】
【００１６】
上記第１の発明によれば、電力使用の抑制要請時には、第１信号を受信して速やかに利用冷房運転に移行できる。このため、室内の快適性を損なうことなく、電力消費の少ない運転を行うことができ、電力使用の抑制要請に応えることができる。電力使用の促進要請時には、第２信号を受信して速やかに冷房蓄冷運転に移行できる。このため、室内の快適性を損なうことなく且つ蓄熱タンク（62）の蓄熱媒体にいわゆる冷熱を蓄えつつ、電力消費の多い運転を行うことができ、電力使用の促進要請に応えることができる。
【００１７】
第３の発明によれば、電力使用の抑制要請時には、定格の冷房能力での利用冷房運転を確実に所定時間以上継続できる。特に、第４の発明によれば、定格の冷房能力での利用冷房運転を１時間以上継続でき、その間に供給電力が増大ないし回復することを期待できる。従って、電力使用の抑制要請に確実に対応できる蓄熱式空気調和機を提供できる。
【図面の簡単な説明】
【００１８】
【図１】図１は空調システムの構成図である。
【図２】図２は単純冷房運転時の冷媒の流れを表す図である。
【図３】図３は単純暖房運転時の冷媒の流れを表す図である。
【図４】図４は蓄冷運転時の冷媒及び蓄熱媒体の各流れを表す図である。
【図５】図５は利用冷房運転時の冷媒及び蓄熱媒体の各流れを表す図である。
【図６】図６は冷房蓄冷運転時の冷媒及び蓄熱媒体の各流れを表す図である。
【図７】図７は１日における冷房負荷の変動の様子を説明する図である。
【図８】図８は空調システムの冷房運転時の運転切り換えの動作を示す概略のフローチャートである。
【発明を実施するための形態】
【００１９】
以下、本発明の実施形態を図面に基づいて詳細に説明する。尚、以下の実施形態は、本質的に好ましい例示であって、本発明、その適用物、又はその用途の範囲を制限することを意図するものではない。
【００２０】
≪実施形態≫
＜概要＞
本実施形態に係る蓄熱式空気調和機（10）は、後述する蓄熱タンク（62）に冷熱を蓄えたり、蓄えた冷熱を利用して室内を冷房したりすることができるシステムである。更に、蓄熱式空気調和機（10）は、蓄熱タンク（62）に冷熱を蓄えながらも室内の冷房を行うことができる。
【００２１】
図１に示すように、蓄熱式空気調和機（10）は、室外ユニット（20a）と、室内ユニット（20b）と、蓄熱ユニット（50）と、コントローラ（100）（運転制御部に相当）とで構成されており、冷媒回路（11）及び蓄熱回路（61）を有する。
【００２２】
コントローラ（100）は、蓄熱式空気調和機（10）の運転を制御するためのものである。コントローラ（100）は、冷媒回路（11）の圧縮機（21）や蓄熱回路（61）の循環ポンプ（63）の駆動制御、複数の膨張弁（23,24c,26,29c,38）の開度制御、及び複数の開閉弁（25,39,40,41）の開閉制御等を行う。
【００２３】
コントローラ（100）には、外部からの信号が受信される受信部（101）が設けられる。例えば受信部（101）には、電力会社等の電力管理者から発信される信号が受信される。より詳細に、受信部（101）には、「電力使用の抑制要請」を示す信号（第１信号）、「電力使用の促進要請」を示す信号（第２信号）、「電力使用の抑制要請を解除する、又は電力使用の促進要請を解除する」ことを示す信号（第３信号）が受信される。
【００２４】
コントローラ（100）は、受信部（101）に第１信号が入力されると利用冷房運転を実行し、受信部（101）に第２信号が入力されると冷房蓄冷運転を実行し、受信部（101）に第３信号が入力されると単純冷房運転を実行するように構成される。これらの運転の詳細は後述する。
【００２５】
＜冷媒回路の構成＞
冷媒回路（11）には冷媒が充填されており、冷媒が循環することによって冷凍サイクルが行われる。図１に示すように、冷媒回路（11）は、主として、圧縮機（21）、室外熱交換器（22）、室外膨張弁（23）、室外側過冷却熱交換器（24）、第１開閉弁（25）、蓄熱側過冷却熱交換器（29）、室内膨張弁（26）、室内熱交換器（27）及び四方切換弁（28）により構成されている。このうち、圧縮機（21）、室外熱交換器（22）、室外膨張弁（23）、室外側過冷却熱交換器（24）及び四方切換弁（28）は、室外ユニット（20a）に設けられ、室内膨張弁（26）及び室内熱交換器（27）は、室内ユニット（20b）に設けられている。第１開閉弁（25）及び蓄熱側過冷却熱交換器（29）は、蓄熱ユニット（50）に設けられている。
【００２６】
圧縮機（21）は冷媒を圧縮して吐出する。圧縮機（21）は、容量可変式であって、図示しないインバータ回路によって回転数（運転周波数）が変更される。
【００２７】
室外熱交換器（22）は、配管（12）を介して四方切換弁（28）と接続されている。室外熱交換器（22）は、例えばクロスフィンアンドチューブ式であって、室外ユニット（20a）に設けられた室外ファン（22a）によって室外空気が供給されると、当該室外空気と冷媒との熱交換を行う。
【００２８】
室外膨張弁（23）は、配管（13）を介して室外熱交換器（22）と接続され、配管（14a）を介して室外側過冷却熱交換器（24）と接続されている。室外膨張弁（23）は、例えば電子膨張弁で構成されており、開度を変更することで冷媒の流量を調整する。
【００２９】
室外側過冷却熱交換器（24）は、配管（14a）を介して室外膨張弁（23）と接続された高圧側通路（24a）と、高圧側通路（24a）の入口側及び圧縮機（21）の吸入側に接続された低圧側通路（24b）とを有する。室外側過冷却熱交換器（24）は、高圧側通路（24a）及び低圧側通路（24b）それぞれを流れる冷媒同士が熱交換を行うことで高圧側通路（24a）を流れる冷媒が過冷却されるように構成されている。膨張弁（24c）の開度を変更することによって、高圧側通路（24a）出口の過冷却度を調節する。
【００３０】
第１開閉弁（25）は、配管（14b）を介して室外側過冷却熱交換器（24）の高圧側通路（24a）に接続され、配管（14c）を介して蓄熱側過冷却熱交換器（29）と接続されている。第１開閉弁（25）は、例えば電磁弁で構成されており、配管（14b,14c）の間の冷媒の流れを許容または停止させるものである。第１開閉弁（25）に並列に、逆止弁（25a）が接続されている。逆止弁（25a）は、後述する単純暖房運転時に蓄熱側過冷却熱交換器（29）側から室外側過冷却熱交換器（24）側に向けて冷媒が流れるように設けられている。
【００３１】
蓄熱側過冷却熱交換器（29）は、高圧側通路（29a）と低圧側通路（29b）とを有する。高圧側通路（29a）の一端は配管（14c）に接続され、他端は配管（14d）を介して室内膨張弁（26）に接続されている。低圧側通路（29b）の一端は配管（17）を介して高圧側通路（29a）の入口側に接続され、他端は配管（16）（圧縮機（21）の吸入側）に接続されている。蓄熱側過冷却熱交換器（29）は、高圧側通路（29a）及び低圧側通路（29b）それぞれを流れる冷媒同士が熱交換を行うことで高圧側通路（29a）を流れる冷媒が過冷却されるように構成されている。膨張弁（29c）の開度を変更することによって、高圧側通路（29a）出口の過冷却度を調節する。
【００３２】
室内膨張弁（26）は、配管（15）を介して室内熱交換器（27）と接続されている。室内膨張弁（26）は、例えば電子膨張弁で構成されており、開度を変更することで冷媒の循環量を調整する。
【００３３】
室内熱交換器（27）は、配管（16）を介して四方切換弁（28）と接続されている。室内熱交換器（27）は、例えばクロスフィンアンドチューブ式であって、室内ユニット（20b）に設けられた室内ファン（27a）によって室内空気が供給されると、当該空気と冷媒との熱交換を行う。室内熱交換器（27）によって熱交換された後の空気は、再び室内に供給される。
【００３４】
四方切換弁（28）は、４つのポートを有する。具体的に、四方切換弁（28）の第１ポートは、圧縮機（21）の吐出側に接続され、四方切換弁（28）の第２ポートは、図示しないアキュムレータを介して圧縮機（21）の吸入側に接続されている。四方切換弁（28）の第３ポートは、配管（12）を介して室外熱交換器（22）に接続され、四方切換弁（28）の第４ポートは、配管（16）を介して室内熱交換器（27）に接続されている。四方切換弁（28）は、蓄熱式空気調和機（10）の運転種類に応じて、各ポートの接続状態を第１状態（図１の実線で示す状態）または第２状態（図１の破線で示す状態）に切り換える。
【００３５】
＜バイパス流路の構成＞
図１に示すように、冷媒回路（11）は、バイパス流路（31）を含む。バイパス流路（31）は、室内熱交換器（27）に並列に接続されており、内部を冷媒が通過する。具体的に、バイパス流路（31）の一端は、室外側過冷却熱交換器（24）と第１開閉弁（25）との間の配管（14b）に接続されている。バイパス流路（31）の他端は、室内熱交換器（27）と四方切換弁（28）の第４ポートとの間の配管（16）に接続されている。バイパス流路（31）は、主として、予熱用熱交換器（36）及び蓄熱用熱交換器（37）、蓄熱用膨張弁（38）、及び第２〜第３開閉弁（39,40）を有する。
【００３６】
予熱用熱交換器（36）は、冷媒側通路（36a）と蓄熱側通路（36b）とを有する。冷媒側通路（36a）は、配管（32）上、つまりはバイパス流路（31）の一端と蓄熱用膨張弁（38）との間に位置し、内部には冷媒が流れる。蓄熱側通路（36b）は、蓄熱回路（61）に直列に接続され、内部には蓄熱媒体（後述）が流れる。予熱用熱交換器（36）は、冷媒と蓄熱媒体との熱交換を行う。つまり、予熱用熱交換器（36）は、蓄熱用熱交換器（37）にて熱交換する前の冷媒を、蓄熱媒体と熱交換させる。
【００３７】
蓄熱用熱交換器（37）は、冷媒側通路（37a）と蓄熱側通路（37b）とを有する。冷媒側通路（37a）は、配管（33）上において蓄熱用膨張弁（38）と第３開閉弁（40）との間に位置し、内部には冷媒が流れる。蓄熱側通路（37b）は、蓄熱回路（61）に直列に接続され、内部には蓄熱媒体が流れる。蓄熱用熱交換器（37）は、冷媒と蓄熱媒体との熱交換を行うことで、蓄熱媒体を冷却等することができる。つまり、蓄熱用熱交換器（37）は、予熱用熱交換器（36）にて熱交換した後の冷媒を、蓄熱媒体と熱交換させる。
【００３８】
蓄熱用膨張弁（38）は、予熱用熱交換器（36）の冷媒側通路（36a）と蓄熱用熱交換器（37）の冷媒側通路（37a）との間に接続されている。蓄熱用膨張弁（38）は、例えば電子膨張弁で構成されており、開度を変更することで冷媒の圧力を調整する。
【００３９】
第２開閉弁（39）は、逆止弁（39a）と直列に接続されている。互いに直列接続された第２開閉弁（39）及び逆止弁（39a）は、蓄熱用膨張弁（38）に対し並列に接続されている。逆止弁（39a）は、予熱用熱交換器（36）側から蓄熱用熱交換器（37）側への冷媒の流れのみを許容する。第３開閉弁（40）は、配管（34）上に設けられている。なお、配管（34）の一端は、配管（33）に接続され、配管（34）の他端は、配管（16）に接続されている。
【００４０】
なお、蓄熱用膨張弁（38）に並列に、圧力逃がし弁（44）が設けられている。圧力逃がし弁（44）は、例えば蓄熱式空気調和機（10）の運転停止時、蓄熱用熱交換器（37）側の圧力が許容値を超えた場合に、当該圧力を放出させるための弁である。
【００４１】
＜第１分岐流路＞
図１に示すように、冷媒回路（11）は、第１分岐流路（35）を更に含む。第１分岐流路（35）の一端は、バイパス流路（31）における配管（33,34）の接続ポイントに接続され、第１分岐流路（35）の他端は、配管（14c）に接続されている。第１分岐流路（35）は、主として、第４開閉弁（41）及び逆止弁（41a）を有する。第４開閉弁（41）及び逆止弁（41a）は、互いに直列に接続されている。逆止弁（41a）は、配管（33）側から配管（14c）側への冷媒の流れのみを許容する。
【００４２】
＜第２分岐流路＞
図１に示すように、冷媒回路（11）は、第２分岐流路（42）を更に含む。第２分岐流路（42）の一端は、バイパス流路（31）における配管（33,34）の接続ポイント、つまりはバイパス流路（31）と第１分岐流路（35）との接続ポイントに接続されている。第２分岐流路（42）の他端は、配管（16）に接続されている。第２分岐流路（42）は、主として、蒸発圧力調整弁（43）を有する。蒸発圧力調整弁（43）は、蓄熱用熱交換器（37）における冷媒の蒸発圧力を調整するための弁であって、例えば膨張弁で構成されている。
【００４３】
なお、蒸発圧力調整弁（43）は、基本的には全閉状態を保っている。
【００４４】
＜蓄熱回路の構成＞
蓄熱回路（61）には蓄熱媒体が充填されており、蓄熱媒体を循環させて冷熱を蓄熱する蓄冷サイクル等が行われる。蓄熱回路（61）は、主として、蓄熱タンク（62）及び循環ポンプ（63）の他に、上述した予熱用熱交換器（36）及び蓄熱用熱交換器（37）の各蓄熱側通路（36b,37b）によって構成されている。
【００４５】
ここで、蓄熱媒体について説明する。蓄熱媒体には、冷却によって包接水和物が生成される蓄熱材、即ち流動性を有する蓄熱材が採用される。この蓄熱媒体は、例えば、冷却によって０℃より高く２０℃より低い温度にて固体成分が生成されるものであることができる。固体成分とは、その融点において液体から相転移（潜熱変化）し、発熱した状態にある成分を言う。蓄熱媒体の具体例としては、臭化テトラｎブチルアンモニウムを含有する臭化テトラｎブチルアンモニウム（TBAB：Tetra Butyl Ammonium Bromide）水溶液、トリメチロールエタン（TME：Trimethylolethane）水溶液、パラフィン系スラリーなどが挙げられる。例えば、臭化テトラｎブチルアンモニウム水溶液は、安定的に冷却されて当該水溶液の温度が水和物生成温度よりも低くなった過冷却状態でもその水溶液の状態を維持するが、この過冷却状態にて何らかのきっかけが与えられると、過冷却の溶液が包接水和物を含んだ溶液（即ちスラリー）へと遷移する。即ち、臭化テトラｎブチルアンモニウム水溶液は、過冷却状態を解消して、臭化テトラｎブチルアンモニウムと水分子とからなる包接水和物（水和物結晶）が生成されて粘性の比較的高いスラリー状となる。ここで、過冷却状態とは、蓄熱媒体が水和物生成温度以下の温度となっても包接水和物が生成されずに溶液の状態を保っている状態を言う。逆に、スラリー状となっている臭化テトラｎブチルアンモニウム水溶液は、加熱により当該水溶液の温度が水和物生成温度よりも高くなると、包接水和物が融解して流動性の比較的高い液状態（溶液）となる。
【００４６】
本実施形態では、上記蓄熱媒体として、臭化テトラｎブチルアンモニウムを含有する臭化テトラｎブチルアンモニウム水溶液を採用している。特に、上記蓄熱媒体は、調和濃度の近傍の濃度を有する媒体であることが好ましい。本実施形態では、調和濃度を約４０％とする。この場合の臭化テトラｎブチルアンモニウム水溶液の水和物生成温度は、約１２℃である。
【００４７】
なお、蓄熱媒体の濃度に応じて、臭化テトラｎブチルアンモニウム水溶液の水和物生成温度は変化する。例えば、蓄熱媒体の濃度が約２０％である場合、水和物生成温度は約８．５℃となる。調和濃度とは、包接水和物が生成される前後において、水溶液の濃度が変化しない濃度を意味する。
【００４８】
蓄熱タンク（62）は、中空の容器であって、蓄熱媒体を貯留する。例えば、蓄熱タンク（62）は、両端が閉塞された円筒状に形成され、その軸方向が上下方向となるように配置されている。蓄熱タンク（62）には、流出口と流入口とが形成されており、流出口は、例えば流入口よりも上方に位置している。
【００４９】
循環ポンプ（63）は、蓄熱回路（61）において、蓄熱タンク（62）、予熱用熱交換器（36）及び蓄熱用熱交換器（37）の間で蓄熱媒体を循環させる。蓄熱媒体の循環方向は、蓄熱タンク（62）から流出した蓄熱媒体が予熱用熱交換器（36）の蓄熱側通路（36b）を通過し、更にその後に循環ポンプ（63）を介して蓄熱用熱交換器（37）の蓄熱側通路（37b）を通過して、蓄熱タンク（62）に流入する方向となっている。循環ポンプ（63）の運転のオン及びオフや蓄熱媒体の流量は、コントローラ（100）によって制御される。
【００５０】
以上の構成により、蓄熱回路（61）は、閉回路となっている。
【００５１】
＜蓄熱式空気調和機の運転動作＞
蓄熱式空気調和機（10）の運転種類としては、単純冷房運転、単純暖房運転、蓄冷運転、利用冷房運転、及び冷房蓄冷運転が挙げられる。コントローラ（100）は、これらの各運転が行われるように、冷媒回路（11）及び蓄熱回路（61）における各種機器を制御する。
【００５２】
単純冷房運転とは、冷媒回路（11）の冷房サイクルによって得られる冷熱のみを用いて室内の冷房を行う運転である。単純暖房運転とは、冷媒回路（11）の暖房サイクルによって得られる温熱のみを用いて室内の暖房を行う運転である。蓄冷運転とは、蓄熱回路（61）の蓄冷サイクルによって得られる冷熱を蓄熱タンク（62）に蓄える運転である。利用冷房運転とは、蓄熱タンク（62）内の蓄熱媒体を冷熱源として用いて室内の冷房を行う運転である。冷房蓄冷運転は、蓄熱回路（61）においては蓄冷サイクルで得られる冷熱を蓄熱タンク（62）に貯留しながら、冷媒回路（11）においては冷房サイクルで得られる冷熱のみを用いて室内の冷房を行う運転である。即ち、冷房蓄冷運転では、蓄冷と冷房とが同時に行われる。
【００５３】
−単純冷房運転−
図２に示されるように、単純冷房運転では、冷媒回路（11）は、室外熱交換器（22）が凝縮器となり室内熱交換器（27）が蒸発器となる冷房サイクルを行う。バイパス流路（31）及び第１分岐流路（35）には冷媒は流入せず、蓄熱回路（61）は蓄熱媒体を循環させない。具体的に、バイパス流路（31）では、蓄熱用膨張弁（38）の開度は全閉状態に設定され、バイパス流路（31）及び第１分岐流路（35）の開閉弁（39,41）は閉状態に設定される。但し、バイパス流路（31）の開閉弁（40）は、蓄熱用熱交換器（37）の冷媒側通路（37a）に冷媒が溜まることを防ぐため、開状態に設定される。蓄熱回路（61）では、循環ポンプ（63）は停止する。
【００５４】
冷媒回路（11）では、四方切換弁（28）が第１状態に設定され、第１開閉弁（25）は開状態に設定される。室外膨張弁（23）の開度は全開状態に設定され、蓄熱側過冷却熱交換器（29）の膨張弁（29c）は全閉状態、室内膨張弁（26）の開度は所定の開度（室内熱交換器（27）の出口における冷媒の過熱度が目標過熱度となる開度）に設定される。圧縮機（21）、室外ファン（22a）及び室内ファン（27a）は作動する。
【００５５】
圧縮機（21）から吐出された冷媒は、配管（12）を介して室外熱交換器（22）に流入し、室外熱交換器（22）を通過する間に室外空気に放熱して凝縮する。室外熱交換器（22）にて凝縮された冷媒は、配管（13）及び室外膨張弁（23）を介して室外側過冷却熱交換器（24）に流入し、更に冷却される。更に冷却された冷媒は、配管（14b,14c,14d）、第１開閉弁（25）及び蓄熱側過冷却熱交換器（29）の高圧側通路（29a）を介して室内膨張弁（26）に流入し、室内膨張弁（26）にて減圧される。室内膨張弁（26）にて減圧された冷媒は、配管（15）を介して室内熱交換器（27）に流入し、室内熱交換器（27）を通過する間に室内空気から吸熱して蒸発する。これにより、室内空気が冷却される。室内熱交換器（27）にて蒸発した冷媒は、配管（16）を介して圧縮機（21）に吸入されて再び圧縮される。
【００５６】
−単純暖房運転−
図３に示されるように、単純暖房運転では、冷媒回路（11）は、室内熱交換器（27）が凝縮器となり室外熱交換器（22）が蒸発器となる暖房サイクルを行う。単純冷房運転と同様、バイパス流路（31）及び第１分岐流路（35）には冷媒は流れず、蓄熱回路（61）は蓄熱媒体を循環させない。
【００５７】
冷媒回路（11）では、四方切換弁（28）が第２状態に設定される。室内膨張弁（26）の開度は、所定の開度（室内熱交換器（27）の出口における冷媒の過冷却度が目標過冷却度となる開度）に設定される。各過冷却熱交換器（29,24）の膨張弁（29c,24c）は全閉状態、第１開閉弁（25）は閉状態、室外膨張弁（23）の開度は所定の開度（室外熱交換器（22）の出口における冷媒の過熱度が目標過熱度となる開度）に設定される。圧縮機（21）、室外ファン（22a）及び室内ファン（27a）は作動する。
【００５８】
圧縮機（21）から吐出された冷媒は、配管（16）を介して室内熱交換器（27）に流入し、室内熱交換器（27）を通過する間に室内空気に放熱して凝縮する。この時、室内空気は温められる。室内熱交換器（27）にて凝縮された冷媒は、各種配管（15,14d~14a）、室内膨張弁（26）、各過冷却熱交換器（29,24）の高圧側通路（29a,24a）、及び逆止弁（25a）を介して室外膨張弁（23）に流入し、室外膨張弁（23）にて減圧される。減圧後の冷媒は、配管（13）を介して室外熱交換器（22）に流入し、室外熱交換器（22）を通過する間に室外空気から吸熱して蒸発する。蒸発後の冷媒は、配管（12）を介して圧縮機（21）に吸入されて再び圧縮される。
【００５９】
−蓄冷運転−
図４に示すように、蓄冷運転では、室外熱交換器（22）及び予熱用熱交換器（36）の冷媒側通路（36a）にて凝縮及び冷却された冷媒が、蓄熱用熱交換器（37）の冷媒側通路（37a）にて蒸発することで、蓄熱側通路（37b）内の蓄熱媒体が冷却されて蓄熱タンク（62）に貯留される。冷媒回路（11）では、冷媒がバイパス流路（31）に流れるが、第１分岐流路（35）には流れない。蓄熱回路（61）は、蓄熱用熱交換器（37）にて冷却された蓄熱媒体が蓄熱タンク（62）に貯留するように蓄熱媒体を循環する蓄冷サイクルを行う。
【００６０】
具体的に、四方切換弁（28）は第１状態、第３開閉弁（40）は開状態に設定され、第２開閉弁（39）及び第４開閉弁（41）は閉状態に設定される。なお、第１開閉弁（25）は、開状態に設定される。第１開閉弁（25）が開状態となることにより、バイパス流路（31）への分岐点から室内膨張弁（26）までの配管（液管）に液冷媒が溜まり込み、この配管内の冷媒が単純冷房運転時と同じ状態になり、余剰冷媒の発生が防止されるためである。また、室外膨張弁（23）の開度は全開状態、各過冷却熱交換器（24,29）の膨張弁（24c,29c）は全閉状態、室内膨張弁（26）の開度は全閉状態、蓄熱用膨張弁（38）の開度は所定の開度（蓄熱用熱交換器（37）の冷媒側通路（37a）の入口における冷媒の蒸発温度が目標蒸発温度となる開度）にそれぞれ設定される。圧縮機（21）は概ね一定の回転数で作動する。室外ファン（22a）は作動し、室内ファン（27a）は停止する。
【００６１】
圧縮機（21）から吐出された冷媒は、配管（12）を介して室外熱交換器（22）に流入し、室外熱交換器（22）にて室外空気に放熱して凝縮する。凝縮された冷媒は、配管（13,14a）、室外膨張弁（23）及び室外側過冷却熱交換器（24）の高圧側通路（24a）を介して配管（14b）に流れる。第１開閉弁（25）が開状態であるため、当該冷媒は、配管（14b）におけるバイパス流路（31）への分岐点から室内膨張弁（26）に至るまでの配管に溜まり込むとともに、バイパス流路（31）側へも流入し、予熱用熱交換器（36）の冷媒側通路（36a）にて更に冷却される。予熱用熱交換器（36）から流出された冷媒は、蓄熱用膨張弁（38）にて減圧され、その後、蓄熱用熱交換器（37）の冷媒側通路（37a）にて蓄熱媒体から吸熱して蒸発する。蒸発した冷媒は、第３開閉弁（40）及び配管（34）を介してバイパス流路（31）から流出し、配管（16）に流入する。その後、冷媒は、四方切換弁（28）を介して圧縮機（21）に吸入され、再び圧縮される。
【００６２】
蓄熱回路（61）では、循環ポンプ（63）が作動する。蓄熱タンク（62）内の蓄熱媒体は、該タンク（62）から流出して予熱用熱交換器（36）の蓄熱側通路（36b）に流入する。蓄熱側通路（36b）を通過する間に、蓄熱媒体は、冷媒側通路（36a）を流れる冷媒によって加熱される。加熱された蓄熱媒体は、循環ポンプ（63）を介して蓄熱用熱交換器（37）の蓄熱側通路（37b）に流入する。蓄熱側通路（37b）を通過する間に、蓄熱媒体は、冷媒側通路（37a）を流れる冷媒によって冷却される。冷却された蓄熱媒体は、蓄熱タンク（62）内に流入する。このようにして、蓄熱タンク（62）には蓄熱媒体の蓄熱作用により得られた冷熱が蓄えられる。
【００６３】
−利用冷房運転−
図５に示すように、利用冷房運転では、蓄熱タンク（62）に蓄えられた冷熱と冷媒回路（11）の冷凍サイクルによって得られる冷熱とを用いて室内の冷房が行われる。つまり、室外熱交換器（22）にて凝縮及び冷却された冷媒が、更に予熱用熱交換器（36）及び蓄熱用熱交換器（37）にて蓄熱媒体から冷熱を得た後に室内熱交換器（27）にて蒸発することで、室内空気が冷却される。蓄熱回路（61）は、蓄熱タンク（62）から流出した蓄熱媒体が予熱用熱交換器（36）及び蓄熱用熱交換器（37）を順に通過して蓄熱タンク（62）に再度流入するように蓄熱媒体を循環させる。
【００６４】
この場合、冷媒回路（11）側においては、室外熱交換器（22）が凝縮器、室内熱交換器（27）が蒸発器となる。特に、バイパス流路（31）においては、予熱用熱交換器（36）及び蓄熱用熱交換器（37）が共に過冷却器（即ち放熱器）となり、冷媒は、バイパス流路（31）の途中で第１分岐流路（35）へと流れる。
【００６５】
具体的には、四方切換弁（28）は第１状態、第１開閉弁（25）及び第３開閉弁（40）は閉状態、第２開閉弁（39）及び第４開閉弁（41）は開状態にそれぞれ設定される。室外膨張弁（23）及び蓄熱用膨張弁（38）の開度は全開状態、室外側過冷却熱交換器（24）の膨張弁（24c）は全閉状態、室内膨張弁（26）の開度は所定の開度（室内熱交換器（27）の出口における冷媒の過熱度が目標過熱度となる開度）にそれぞれ設定される。圧縮機（21）、室外ファン（22a）及び室内ファン（27a）は作動する。
【００６６】
圧縮機（21）から吐出された冷媒は、配管（12）を介して室外熱交換器（22）に流入し、室外熱交換器（22）にて室外空気に放熱して凝縮する。凝縮された冷媒は、全開である室外膨張弁（23）及び室外側過冷却熱交換器（24）の高圧側通路（24a）を介して配管（14b）に流れる。第１開閉弁（25）が閉状態であるため、当該冷媒は、配管（14b）の途中でバイパス流路（31）内へと流入する。バイパス流路（31）に流入した冷媒は、予熱用熱交換器（36）の冷媒側通路（36a）を通過する間に蓄熱側通路（36b）を流れる蓄熱媒体によって更に冷却され、その後は全開である蓄熱用膨張弁（38）または第２開閉弁（39）を介して蓄熱用熱交換器（37）に流入する。蓄熱用熱交換器（37）に流入した冷媒は、冷媒側通路（37a）を通過する間に、蓄熱側通路（37b）を流れる蓄熱媒体によって更に冷却される。この冷媒は、第１分岐流路（35）を介して配管（14c）に流入する。その後、冷媒は、蓄熱側過冷却熱交換器（29）に流入し、更に冷却される。更に冷却された冷媒は、配管（14d）を介して室内膨張弁（26）に流入する。室内膨張弁（26）にて減圧された後、室内熱交換器（27）にて室内空気から吸熱して蒸発する。これにより、室内空気が冷却される。蒸発した冷媒は、配管（16）及び四方切換弁（28）を介して圧縮機（21）に吸入されて再び圧縮される。
【００６７】
蓄熱回路（61）では、循環ポンプ（63）が作動する。蓄熱タンク（62）内の蓄熱媒体は、該タンク（62）から流出して予熱用熱交換器（36）の蓄熱側通路（36b）に流入する。蓄熱側通路（36b）を通過する間に、蓄熱媒体は、冷媒側通路（36a）を流れる冷媒から吸熱する。吸熱した蓄熱媒体は、循環ポンプ（63）を介して蓄熱用熱交換器（37）の蓄熱側通路（37b）に流入する。蓄熱側通路（37b）を通過する間に、蓄熱媒体は、冷媒側通路（37a）を流れる冷媒から更に吸熱する。更に吸熱した蓄熱媒体は、蓄熱タンク（62）内に流入される。このようにして、蓄熱媒体から冷媒へ冷熱が付与される。
【００６８】
−冷房蓄冷運転−
図６に示すように、冷房蓄冷運転では、冷媒回路（11）においては室外熱交換器（22）で凝縮された冷媒が室内熱交換器（27）で蒸発するように冷媒が循環する冷房サイクルが行われる。特に、冷媒回路（11）では、冷媒の一部がバイパス流路（31）へも流れる。そして、冷房蓄冷運転では、蓄熱回路（61）においては蓄熱媒体が蓄熱用熱交換器（37）にて冷媒により冷却され蓄熱タンク（62）に貯留される蓄冷サイクルが行われる。つまり、冷房サイクルと蓄冷サイクルとが同時に行われる。
【００６９】
この場合、冷媒回路（11）側においては、室外熱交換器（22）が凝縮器、室内熱交換器（27）が蒸発器となる。特に、バイパス流路（31）においては、予熱用熱交換器（36）は過冷却器（即ち放熱器）、蓄熱用熱交換器（37）は蒸発器となる。なお、冷媒は、第１分岐流路（35）には流れない。
【００７０】
具体的には、四方切換弁（28）は第１状態、第１開閉弁（25）及び第３開閉弁（40）は開状態、第２開閉弁（39）及び第４開閉弁（41）は閉状態にそれぞれ設定される。室外膨張弁（23）の開度は全開状態、室外側過冷却熱交換器（24）の膨張弁（24c）は全閉状態、蓄熱用膨張弁（38）及び室内膨張弁（26）の開度は、コントローラ（100）によって冷媒流量調節のための開度制御が行われる。圧縮機（21）、室外ファン（22a）及び室内ファン（27a）は作動する。
【００７１】
圧縮機（21）から吐出された冷媒は、配管（12）を介して室外熱交換器（22）に流入し、室外熱交換器（22）にて室外空気に放熱して凝縮する。凝縮された冷媒は、全開である室外膨張弁（23）及び室外側過冷却熱交換器（24）の高圧側通路（24a）を通過する。第１開閉弁（25）は開状態であって、且つ蓄熱用膨張弁（38）は全閉状態ではないため、室外側過冷却熱交換器（24）から流出した冷媒は、配管（14b）の途中にて、第１開閉弁（25）側とバイパス流路（31）側とに分岐して流れる。
【００７２】
第１開閉弁（25）側に流れた冷媒は、配管（14c）を介して蓄熱側過冷却熱交換器（29）の高圧側通路（29a）に流入し、更に冷却される。更に冷却された冷媒は、配管（14d）を介して室内膨張弁（26）に流入し、室内膨張弁（26）にて減圧される。室内膨張弁（26）にて減圧された冷媒は、室内熱交換器（27）にて室内空気から吸熱して蒸発する。これにより、室内空気が冷却される。
【００７３】
一方、バイパス流路（31）側に流れた冷媒は、配管（32）を介して予熱用熱交換器（36）の冷媒側通路（36a）に流入し、当該冷媒側通路（36a）を通過する間に蓄熱側通路（36b）を流れる蓄熱媒体を加熱する。これにより、蓄熱タンク（62）から流出する蓄熱媒体に含まれる包接水和物は融解する。従って、予熱用熱交換器（36）を通過後の蓄熱媒体が通過する配管（蓄熱用熱交換器（37）の蓄熱側通路（37b）を含む）にて、蓄熱媒体の包接水和物が大量に生成されて蓄熱回路（61）が閉塞することを防ぐことができる。
【００７４】
特に、冷房蓄冷運転では、室外側過冷却熱交換器（24）での冷媒の冷却が行われていない。仮に室外側過冷却熱交換器（24）で冷媒が冷却されると、予熱用熱交換器（36）にて冷媒が蓄熱媒体を加熱する効果が薄れてしまい、包接水和物による蓄熱回路（61）の閉塞が生じ易くなるためである。
【００７５】
そして、予熱用熱交換器（36）にて蓄熱媒体を加熱した冷媒は、冷やされた状態で予熱用熱交換器（36）から流出し、蓄熱用膨張弁（38）にて減圧される。その後、冷媒は、蓄熱用熱交換器（37）において、冷媒側通路（37a）を通過する間に、蓄熱側通路（37b）を流れる蓄熱媒体から吸熱して蒸発する。蒸発した冷媒は、第３開閉弁（40）及び配管（34）を流れ、室内熱交換器（27）を通過した冷媒と配管（16）にて合流する。合流した冷媒は、四方切換弁（28）を介して圧縮機（21）に吸入されて再び圧縮される。
【００７６】
蓄熱回路（61）では、循環ポンプ（63）が作動する。蓄熱タンク（62）内の蓄熱媒体は、該タンク（62）から流出して予熱用熱交換器（36）の蓄熱側通路（36b）に流入する。この蓄熱側通路（36b）を通過する間に、蓄熱媒体は、冷媒側通路（36a）を流れる冷媒から吸熱することで加熱される。これにより、蓄熱媒体に含まれる包接水和物は融かされる。吸熱した蓄熱媒体は、循環ポンプ（63）を介して蓄熱用熱交換器（37）の蓄熱側通路（37b）に流入する。蓄熱側通路（37b）を通過する間に、蓄熱媒体は、冷媒側通路（37a）を流れる冷媒によって冷却される。冷却された蓄熱媒体は、蓄熱タンク（62）内に流入する。このようにして、蓄熱タンク（62）には冷熱が蓄えられる。
【００７７】
なお、以上の説明では、冷房蓄冷運転において、蒸発圧力調整弁（43）の開度が全閉状態に設定され、第３開閉弁（40）が開状態に設定される場合を例に挙げたが、冷房蓄冷運転において、第３開閉弁（40）を閉状態に設定し、蒸発圧力調整弁（43）の開度を所定の開度に調節してよい。この場合、蓄熱用熱交換器（37）から流出した冷媒は、蒸発圧力調整弁（43）において減圧され、配管（16）と四方切換弁（28）とを順に通過して圧縮機（21）に吸入されることになる。このように制御することにより、蓄熱用熱交換器（37）における冷媒の蒸発圧力を圧縮機（21）の吸入圧力よりも高くすることができ、蓄熱用熱交換器（37）における冷媒の蒸発温度が低くなり過ぎることを防止することができる。これにより、蓄熱用熱交換器（37）において蓄熱媒体が冷却され過ぎて、包接水和物が大量に生成されて蓄熱媒体の循環効率が低下することを防止することができる。
【００７８】
＜電力使用の抑制要請時、促進要請時、要請解除時の動作＞
室内熱交換器（27）が蒸発器となる冷房運転中には、電力使用の要請に関する信号に応じて蓄熱式空気調和機（10）の運転を切り換える。この切り換えの制御について図８を参照しながら説明する。
【００７９】
例えばユーザが運転操作部（リモコン等）上の「冷房運転」を選択すると、コントローラ（100）に冷房運転を実行する指令が入力される（ステップＳｔ１）。すると、ステップＳｔ２へ移行し単純冷房運転が行われる。この単純冷房運転では、上述したように、蓄熱回路（61）が停止状態となり、且つ冷媒回路（11）では室内熱交換器（27）で冷媒が蒸発する冷凍サイクルが行われる。
【００８０】
単純冷房運転中において、例えば供給側の電力がピーク近くになり、電力会社等の電力管理者が、電力使用の抑制を要請することを示す信号（第１信号）を発信したとする。このようにしてコントローラ（100）の受信部（101）に第１信号が受信されると（ステップＳｔ３）、コントローラ（100）は単純冷房運転から利用冷房運転へ移行するように冷媒回路（11）及び蓄熱回路（61）の各構成機器を制御する（ステップＳｔ４）。この結果、利用冷房運転が行われ、蓄熱媒体の冷熱が冷媒回路（11）の冷媒の過冷却に利用される。従って、蓄熱式空気調和機（10）の全体の消費電力が低減され、電力使用を抑制する要請に応えることができる。
【００８１】
単純冷房運転中において、例えば太陽光や風力等の発電施設の発電量が通常よりも多くなり、電力管理者が電力使用の促進を要請することを示す信号（第２信号）を発信したとする。このようにしてコントローラ（100）の受信部（101）に第２信号が受信されると（ステップＳｔ５）、コントローラ（100）は単純冷房運転から冷房蓄冷運転へ移行するように冷媒回路（11）及び蓄熱回路（61）の各構成機器を制御する（ステップＳｔ６）。この結果、冷房蓄冷運転が行われ、冷媒によって蓄熱媒体が冷却される。従って、蓄熱媒体に冷熱を蓄えつつ、蓄熱式空気調和機（10）の全体の消費電力が増大する。この結果、蓄熱式空気調和機（10）の全体の消費電力が増大し、電力使用を促進する要請に応えることができる。
【００８２】
例えば利用冷房運転又は冷房蓄冷運転中において、電力管理者が電力使用の抑制要請や促進要請を解除する信号（第３信号）を発信したとする。このようにしてコントローラ（100）の受信部（101）に第３信号が受信されると（ステップＳｔ７）、コントローラ（100）は、利用冷房運転又は冷房蓄冷運転から単純冷房運転へ移行するように冷媒回路（11）及び蓄熱回路（61）の各構成機器を制御する（ステップＳｔ２）。なお、第３信号を受信したときの制御は、単なる一例であり、これに限らず他のステップを経るようにしてもよい。
【００８３】
〈蓄熱タンクの蓄熱容量〉
蓄熱タンク（62）の定格の蓄熱容量（設計蓄熱容量）は、定格の冷房能力での利用冷房運転の運転時間Ｔ１に基づいて定められる。具体的に、蓄熱タンク（62）の定格蓄熱容量Ｃ１は、定格の冷房能力で利用冷房運転が行われるとした場合に、この利用冷房運転が運転時間Ｔ１として１時間以上継続できる蓄熱容量であることが好ましい。ここで、定格の冷房能力は、予め設計された室内の定格の空調負荷を処理できるのに要する冷房能力であるといえる。
【００８４】
例えば電力需要がピークとなり、供給電力が不足した場合において、新たな発電機を立ち上げるのに１時間程度の時間を要するのが一般的である。従って、定格蓄熱容量Ｃ１を上記の蓄熱容量以上とすることで、利用冷房運転中に電力使用の抑制要請が解除されることが期待でき、電力使用の抑制要請に確実に対応できる。なお、上記運転時間Ｔ１は２時間、又は３時間であってもよい。
【００８５】
蓄熱タンク（62）の実際の蓄熱容量Ｃａは、定格蓄熱容量Ｃ１よりも大きくするのがよく、Ｃａ＝α×Ｃ１（１．１＜α＜３．０）の関係を満たすのがよい。
【００８６】
例えば夜間において蓄熱タンク（62）に定格蓄熱容量Ｃ１に相当する蓄熱量が溜まっているとする。この状態で電力使用の促進要請があり冷房蓄冷運転を行ったとしても、これ以上冷熱を溜めることができず、電力使用の促進要請に応えられない可能性がある。
【００８７】
これに対し、蓄熱タンク（62）の実際の蓄熱容量Ｃａを上記定格蓄熱容量Ｃ１よりも大きくすることで、上記のような条件下においても、蓄熱タンク（62）に冷熱を蓄えることができ、電力使用の促進要請に応えることができる。
【００８８】
電力使用の促進要請があるときに例えば発電設備の出力を絞り込むのには、例えば約３０分の時間を要する。従って、蓄熱タンク（62）の実際の蓄熱容量Ｃ１は、定格の冷房能力での冷房蓄冷運転を０．５時間以上継続できる蓄熱容量Ｃ２を考慮して定めるのがよい。蓄熱タンク（62）の実際の蓄熱容量ＣａをＣ１＋Ｃ２とする。これにより、上記のような条件下においても、少なくとも３０分は定格の冷房能力での冷房蓄冷運転を継続でき、電力使用の促進要請に確実に応えることができる。
【００８９】
（本実施形態の効果）
本実施形態では、例えば図７に示すように、午後１２時において「電力使用の抑制要請」があったときに、第１信号を受信した蓄熱式空気調和機（10）が利用冷房運転を行う。これにより、「電力使用の抑制要請」に対して速やかに対応できる。
【００９０】
蓄熱タンク（62）の蓄熱容量Ｃａは、定格の冷房能力での利用冷房運転を１時間行う蓄熱容量Ｃ１よりも大きい。このため、一般的には数分から１時間程度で解除される「電力使用の抑制要請」に対し、良好に対応することができる。
【００９１】
また、例えば午後１６時において「電力使用の促進要請」があったときに、第２信号を受信した蓄熱式空気調和機（10）が冷房蓄冷運転を行う。これにより、「電力使用の促進要請」に対して速やかに対応できる。
【００９２】
蓄熱タンク（62）の蓄熱容量Ｃａは、Ｃ１よりも大きく、Ｃａ＝α×Ｃ１（１．１＜α＜３．０）、又はＣａ＝Ｃ１＋Ｃ２の関係を満たす。このため、一般的には３０分程度で解除される「電力使用の促進要請」に対し、良好に対応できる。
【００９３】
（その他の実施形態）
上記実施形態については、以下のような構成としてもよい。実施形態は、蓄熱媒体を貯留する貯留部が１台の蓄熱タンク（62）で構成される。しかし、貯留部は、２台又はそれ以上の複数の蓄熱タンクで構成されてもよい。例えば貯留部を２台の蓄熱タンクで構成するとする。この場合、例えば第１の蓄熱タンクの定格の蓄熱容量を上記Ｃ１とし、第２の蓄熱タンクの蓄熱容量をＣ１、又は２×Ｃ１、又はＣ２としてもよい。この場合、貯留部は、第１貯留タンクに対し、第２貯留タンクを増設可能な構成であるのがよい。また、２台以上の蓄熱タンクを採用する場合、複数の蓄熱タンクの蓄熱容量（サイズ）は必ずしも同じでなくてもよい。
【００９４】
上記実施形態の制御部（100）は、単純冷房運転中において、受信部（101）に第１信号が受信されると、単純冷房運転から利用冷房運転へ移行させる。また、制御部（100）は、単純冷房運転中において、受信部（101）に第２信号が受信されると、単純冷房運転から冷房蓄冷運転へ移行させる。しかし、制御部（100）は、冷房蓄冷運転中において、受信部（101）に第１信号が受信されると、冷房蓄冷運転から利用冷房運転へ移行させるものであってもよい。また、制御部（100）は、利用冷房運転中において、第２信号が受信されると、利用冷房運転から冷房蓄冷運転へ移行させるものであってもよい。
【００９５】
また、冷媒回路（11）は、過冷却熱交換器（24）を有さずとも良い。
【００９６】
空調システム（10）は、利用冷房運転時、圧縮機（21）から吐出された冷媒が、室外熱交換器（22）及び過冷却熱交換器（24）を通過せずに直接予熱用熱交換器（36）に流入するような構成であってもよい。
【００９７】
蓄熱媒体は、冷却によって０℃より高く２０℃より低い温度にて固体成分が生成される蓄熱媒体であれば良く、臭化テトラｎブチルアンモニウムを含有する臭化テトラｎブチルアンモニウム水溶液以外の蓄熱材であっても良い。
【産業上の利用可能性】
【００９８】
以上説明したように、本発明は、蓄熱タンクに冷熱を蓄冷する蓄熱式空気調和機に適用して、有用である。
【符号の説明】
【００９９】
１０        空調システム（蓄熱式空気調和機）
１１        冷媒回路
２２        室外熱交換器（熱源側熱交換器）
２３        室内熱交換器（利用側熱交換器）
３７        蓄熱用熱交換器
６１        蓄熱回路
６２        蓄熱タンク
６３        循環ポンプ
１００      コントローラ
１０１      受信部
【図１】
0006048566.tif 000002
【図２】
0006048566.tif 000003
【図３】
0006048566.tif 000004
【図４】
0006048566.tif 000005
【図５】
0006048566.tif 000006
【図６】
0006048566.tif 000007
【図７】
0006048566.tif 000008
【図８】
0006048566.tif 000009